(57)【要約】【課題】簡単な構造によって容易に着脱することができ測定器の取付け作業性を十分に向上させることができる保持装置を提供。【解決手段】保持装置２０は、検出器３に当接して移動を規制する保持具（保持手段）２１を備え、保持具２１は、スケール枠４の幅方向一方側に位置する第一保持部材２３と、幅方向他方側に位置する第二保持部材２４と、を有し、第一保持部材２３には、スケール枠４の溝部１０に挿入される第一挿入部３２と、第一挿入部３２に設けられて溝部の一方側の対向面部１１に当接可能な第一当接部３４と、が形成され、第二保持部材２４には、溝部１０に挿入される第二挿入部４２と、第二挿入部４２に設けられて溝部１０の他方側の対向面部１２に当接可能な第二当接部４４と、が形成される。【選択図】図２
2017036941.tif 000002
【特許請求の範囲】
【請求項１】
スケールを内蔵するスケール枠を有した測定器本体と、この測定器本体に移動自在に設けられて前記スケールとの相対移動量を検出する検出器と、を備えた測定器における前記検出器に当接して移動を規制する保持手段によって該検出器を前記スケール枠に保持する保持装置であって、
前記スケール枠は、長尺中空状に形成されるとともに、その一面にて長手方向に沿って開口した溝部を有し、この溝部には、該スケール枠の幅方向一方側と他方側とに設けられて互いに略対向する一対の対向面部が設けられ、一方側の対向面部は、前記スケール枠の内方に向かって一方側に傾斜して形成されており、
前記保持手段は、前記スケール枠の幅方向一方側に位置する第一保持部材と、幅方向他方側に位置する第二保持部材と、を有して構成され、
前記第一保持部材は、前記スケール枠の外部に位置する第一本体と、この第一本体から延びて前記溝部に挿入される第一挿入部と、前記第一本体における他方側に設けられる第一押圧部と、前記第一挿入部に設けられて前記溝部の一方側の対向面部に当接可能な第一当接部と、を有し、前記第一当接部は、前記溝部の一方側の対向面部と同一方向に傾斜して形成され、
前記第二保持部材は、前記スケール枠の外部に位置する第二本体と、この第二本体から延びて前記溝部に挿入される第二挿入部と、前記第二本体における一方側に設けられる第二押圧部と、前記第二挿入部に設けられて前記溝部の他方側の対向面部に当接可能な第二当接部と、を有し、
前記第一挿入部を前記溝部に挿入した前記第一保持部材に対し、その前記第一押圧部を前記第二保持部材の前記第二押圧部で押圧しつつ前記第二挿入部を前記溝部に挿入することで、前記溝部の一方側の対向面部に前記第一当接部が係合するとともに、他方側の対向面部に前記第二当接部が当接し、前記第一保持部材および前記第二保持部材が前記スケール枠に固定されることを特徴とする保持装置。
【請求項２】
請求項１に記載された保持装置において、
前記第一保持部材の前記第一押圧部は、前記第一当接部の傾斜方向と交差する面に沿って傾斜した傾斜面を有し、前記第二保持部材の前記第二押圧部は、前記第一押圧部と同一方向に傾斜した傾斜面を有し、前記第一押圧部および前記第二押圧部の互いの傾斜面を摺接させることで、前記第一挿入部が一方側に付勢されるとともに、前記第二挿入部が他方側に付勢されることを特徴とする保持装置。
【請求項３】
請求項１または請求項２に記載された保持装置において、
前記第一保持部材は、前記第一本体から突出して前記検出器に係合可能な係合突部を有して構成されることを特徴とする保持装置。
【請求項４】
請求項１から請求項３のいずれかに記載された保持装置において、
前記保持手段は、前記第一保持部材と前記第二保持部材とを接続する接続部材を有して構成されることを特徴とする保持装置。
【請求項５】
請求項１から請求項４のいずれかに記載された保持装置において、
前記第一保持部材と前記第二保持部材とを連結して前記スケール枠に固定された状態を維持する連結手段をさらに備えることを特徴とする保持装置。
【請求項６】
請求項１から請求項５のいずれかに記載された保持装置において、
前記測定器本体は、前記スケール枠の幅方向一方側に位置する測定対象部に取り付けられることを特徴とする保持装置。
【発明の詳細な説明】
【技術分野】
【０００１】
本発明は、スケールを内蔵するスケール枠を有した測定器本体と、この測定器本体に移動自在に設けられてスケールとの相対移動量を検出する検出器と、を備えた測定器における検出器をスケール枠に保持するための保持装置に関する。
【背景技術】
【０００２】
従来、長尺状のスケール枠を有した測定器本体と、スケール枠の長手方向に沿って移動自在に設けられる検出器と、を備え、工作機械等における一対の測定対象部間の移動距離を測定する測定器（リニアスケール）が知られている。このような測定器は、一対の測定対象部のうちの一方に測定器本体が固定され、他方に検出器が固定され、スケール枠内部のスケールに対する相対移動量を検出器が読み取ることで、測定対象部間の移動距離を測定するものである。
【０００３】
このように測定器本体に対して検出器が移動自在に設けられた測定器では、測定対象部に取り付けるまでの輸送過程等において、測定器本体に対して検出器が任意方向に動いてしまうと、スケールと検出器のセンサー部とが衝突するなどし、それらが破損する可能性がある。このような破損を防止するために、測定器本体に検出器を保持して移動を拘束する保持具が利用されている。この保持具は、測定対象部への測定器の取り付けに際し、測定器本体に対する検出器の位置決めにも利用される。
【０００４】
検出器を保持する保持具としては、検出器の移動方向両側面に係合する一対の保持部材を有し、これらの保持部材がスケール枠にねじ止め固定されるものが一般的である。しかし、保持部材がねじ止めされることから、その取り付けおよび取り外しの作業が煩雑になるという不都合がある。さらに、保持部材をねじ止めするためには、スケール枠にタッピング加工によりねじ孔を形成する必要があり、そのための加工手間とコストが増加してしまう。また、ねじ孔によって保持部材の固定位置すなわち検出器の保持位置が限定されることから、測定対象部への測定器の取り付けに際して検出器の位置決めの自由度がなくなり、取付け作業性が低下することになる。
【０００５】
以上のような従来の保持具における不都合を解消するために、検出器の側面に当接する保持本体と、保持本体から延びてスケール枠の溝部に係合する保持部と、この保持部を移動させて溝部に係合させる保持移動手段と、を備えた保持装置が本件出願人によって提案されている。（特許文献１参照）。特許文献１に記載された保持装置によれば、保持移動手段によって溝部の幅方向に保持部を移動させ、この移動により保持部を溝部に係合させることで、スケール枠の長手方向の任意の位置に検出器を位置決めすることができ、測定対象部への測定器の取付け作業性を向上させることができるようになっている。
【先行技術文献】
【特許文献】
【０００６】
【特許文献１】特許第４９５６２６３号公報
【発明の概要】
【発明が解決しようとする課題】
【０００７】
しかしながら、従来の保持装置では、保持移動手段がねじ部材や押圧部材、付勢部材など、各種の部材を複数組み合わせて構成されているため、その構造が複雑になるという問題がある。またねじ部材を回転操作することで保持部を移動させて係合させることから、保持装置の固定作業および固定解除作業が煩雑となり、測定器の取付け作業性の向上が必ずしも十分に実現できないという問題もある。
【０００８】
本発明の目的は、簡単な構造によって容易に着脱することができ測定器の取付け作業性を十分に向上させることができる保持装置を提供することである。
【課題を解決するための手段】
【０００９】
本発明の保持装置は、スケールを内蔵するスケール枠を有した測定器本体と、この測定器本体に移動自在に設けられて前記スケールとの相対移動量を検出する検出器と、を備えた測定器における前記検出器に当接して移動を規制する保持手段によって該検出器を前記スケール枠に保持する保持装置であって、前記スケール枠は、長尺中空状に形成されるとともに、その一面にて長手方向に沿って開口した溝部を有し、この溝部には、該スケール枠の幅方向一方側と他方側とに設けられて互いに略対向する一対の対向面部が設けられ、一方側の対向面部は、前記スケール枠の内方に向かって一方側に傾斜して形成されており、前記検出器に当接して移動を規制する保持手段を備え、前記保持手段は、前記スケール枠の幅方向一方側に位置する第一保持部材と、幅方向他方側に位置する第二保持部材と、を有して構成され、前記第一保持部材は、前記スケール枠の外部に位置する第一本体と、この第一本体から延びて前記溝部に挿入される第一挿入部と、前記第一本体における他方側に設けられる第一押圧部と、前記第一挿入部に設けられて前記溝部の一方側の対向面部に当接可能な第一当接部と、を有し、前記第一当接部は、前記溝部の一方側の対向面部と同一方向に傾斜して形成され、前記第二保持部材は、前記スケール枠の外部に位置する第二本体と、この第二本体から延びて前記溝部に挿入される第二挿入部と、前記第二本体における一方側に設けられる第二押圧部と、前記第二挿入部に設けられて前記溝部の他方側の対向面部に当接可能な第二当接部と、を有し、前記第一挿入部を前記溝部に挿入した前記第一保持部材に対し、その前記第一押圧部を前記第二保持部材の前記第二押圧部で押圧しつつ前記第二挿入部を前記溝部に挿入することで、前記溝部の一方側の対向面部に前記第一当接部が係合するとともに、他方側の対向面部に前記第二当接部が当接し、前記第一保持部材および前記第二保持部材が前記スケール枠に固定されることを特徴とする。
【００１０】
このような本発明によれば、第一挿入部を溝部に挿入した第一保持部材の第一押圧部を第二押圧部で押圧しつつ、第二保持部材の第二挿入部を溝部に挿入するだけで、第一保持部材および第二保持部材をスケール枠に固定することができる。そして、第一保持部材の第一当接部と溝部の一方側の対向面部とが互いの傾斜によって係合するとともに、第二保持部材の第二当接部が他方側の対向面部に当接することで、保持手段が溝部から脱落しないように支持される。さらに、第一押圧部と第二押圧部とが互いに押圧し合う押圧力によって、第一当接部および第二当接部が溝部に押し付けられて摩擦力が生じ、この摩擦力によってスケール枠の長手方向に沿った保持手段の移動を規制することができ、この保持手段によって検出器を保持することができる。
【００１１】
以上のような保持手段によって検出器を保持することで、ねじ止めが不要になるので、測定対象部への測定器の取付け作業性を向上させることができる。さらに、第一保持部材の第一挿入部および第二保持部材の第二挿入部を順に溝部に挿入するだけの簡単な固定手順によって保持手段が固定されるので、作業性をさらに良好にすることができる。また、それぞれブロック状の単純な形状を有した第一保持部材および第二保持部材によって保持手段が構成されるので、保持手段の構造を簡単化することができる。また、第一当接部および第二当接部と溝部との摩擦力によって保持手段の移動が規制されるので、摩擦力を超える力を加えることで保持手段をスケール枠の長手方向に沿って移動させることができ、検出器の位置決めを容易に実施することができる。
【００１２】
本発明では、前記第一保持部材の前記第一押圧部は、前記第一当接部の傾斜方向と交差する面に沿って傾斜した傾斜面を有し、前記第二保持部材の前記第二押圧部は、前記第一押圧部と同一方向に傾斜した傾斜面を有し、前記第一押圧部および前記第二押圧部の互いの傾斜面を摺接させることで、前記第一挿入部が一方側に付勢されるとともに、前記第二挿入部が他方側に付勢されることが好ましい。
【００１３】
このような構成によれば、第一保持部材の第一押圧部に対して第二保持部材の第二押圧部を押圧する際に、互いの傾斜面を摺接させつつ第二保持部材を取り付けることによって、第一挿入部が一方側に付勢されるとともに、第二挿入部が他方側に付勢されるので、各挿入部を溝部の対向面部に押し付けて係合させることができる。従って、より簡単な固定手順によって保持手段をスケール枠に固定することができ、作業性をさらに向上させることができる。
【００１４】
本発明では、前記第一保持部材は、前記第一本体から突出して前記検出器に係合可能な係合突部を有して構成されることが好ましい。
【００１５】
このような構成によれば、第一本体から突出した係合突部が第一保持部材に形成され、この係合突部を検出器に係合させることで、第一保持部材を仮固定した状態で第二保持部材を取り付けることができ、保持手段の固定作業をさらに容易に実施することができる。また、係合突部を係合させて検出器を保持することで、スケール枠の長手方向のみならずその交差方向への検出器の移動をより確実に規制することができる。
【００１６】
本発明では、前記保持手段は、前記第一保持部材と前記第二保持部材とを接続する接続部材を有して構成されることが好ましい。
【００１７】
このような構成によれば、接続部材によって第一保持部材と第二保持部材とが接続されていることで、固定する際や固定を解除する際に第一保持部材や第二保持部材が落下するのを防止することができ、作業性をさらに良好にすることができる。
【００１８】
本発明では、前記第一保持部材と前記第二保持部材とを連結して前記スケール枠に固定された状態を維持する連結手段をさらに備えることが好ましい。
【００１９】
このような構成によれば、連結手段によって第一保持部材と第二保持部材とが連結され、スケール枠に固定された状態が維持されることで、輸送過程の振動等によって保持手段が脱落するのを防ぐことができ、測定器の破損等を防止することができる。
【００２０】
本発明では、前記測定器本体は、前記スケール枠の幅方向一方側に位置する測定対象部に取り付けられることが好ましい。
【００２１】
このような構成によれば、スケール枠の幅方向一方側に位置する測定対象部に測定器本体が取り付けられる、すなわち、溝部の一方側の対向面部が測定対象部側に設けられ、この一方側の対向面部に向かって第一保持部材の第一当接部を押圧して係合させることとなる。従って、測定対象部に向かって第一保持部材を位置決めした状態で保持手段を固定することができ、この保持手段で検出器を保持した状態の測定器を測定対象部に取り付ける際に、測定対象部に対する測定器本体および検出器の位置精度を向上させることができる。また、スケール枠の幅方向他方側、すなわち測定対象部の反対側に第二保持部材が位置することになるので、第二保持部材が取り扱いやすくなって保持手段の着脱がより一層容易に実施できる。
【図面の簡単な説明】
【００２２】
【図１】本発明の一実施形態に係る保持装置を用いた測定器の正面図および断面図
【図２】前記保持装置および測定器を簡略して示す斜視図
【図３】前記保持装置における保持手段を示す正面図および側面図
【図４】前記測定器に対する保持装置の取付手順を説明する正面図および断面図
【図５】図４に続く保持装置の取付手順を説明する正面図および断面図
【図６】図５に続く保持装置の取付手順を説明する正面図および断面図
【図７】図６に続く保持装置の取付手順を説明する正面図および断面図
【図８】図７に続く保持装置の取付手順を説明する正面図および断面図
【図９】本発明の変形例に係る保持装置を示す平面図および側面図
【発明を実施するための形態】
【００２３】
以下、本発明の一実施形態を図面に基づいて説明する。
図１は、本発明の実施形態に係る保持装置を用いた測定器（リニアスケール）の正面図および断面図である。
測定器１は、図１に示すように、測定器本体２と、この測定器本体２に移動自在に設けられる検出器３と、を備える。この測定器１は、一対の測定対象部Ｗ１，Ｗ２間の移動距離を測定するものであって、測定器本体２が一方の測定対象部Ｗ１に固定され、検出器３が他方の測定対象部Ｗ２に固定される。
【００２４】
測定器本体２は、長尺中空状のスケール枠４と、このスケール枠４に内蔵されるスケール５と、を有して構成されている。スケール５は、ガラス等の透光性材料からなるスケール基材と、このスケール基材の表面に形成されて一定ピッチの光学格子からなる目盛と、を有し、スケール枠４の内部に固定されている。
【００２５】
検出器３は、スケール枠４の外部に設けられて他方の測定対象部Ｗ２に固定される検出器本体６と、この検出器本体６からスケール枠４の内部に延びて設けられる検出部７と、を有している。検出部７は、スケール５の一方面に沿って設けられて光を照射する発光部７Ｂと、スケール５の他方面に沿って設けられて発光部７Ｂからスケール５を透過した透過光を受光する受光部７Ａと、を有して構成されている。この検出器３は、受光部７Ａが受光した透過光に基づいて電気信号を生成し、この電気信号を検出器本体６が受信することで、スケール５との相対移動量を検出するようになっている。
【００２６】
スケール枠４は、アルミ合金製の押し出し成形材で形成され、上部に位置して一方の測定対象部Ｗ１に固定される固定部４Ａと、固定部４Ａから下方に延びて測定対象部Ｗ１に対向する第一側面部４Ｂと、固定部４Ａから下方に延びて前面側に位置する第二側面部４Ｃと、第一側面部４Ｂの下端から折れ曲がって前面側に延びる第一底面部４Ｄと、第二側面部４Ｃの下端から折れ曲がって背面側（測定対象部Ｗ１側）に延びる第二底面部４Ｅと、を有して全体略矩形中空状に形成されている。第一底面部４Ｄと第二底面部４Ｅとの間には、スケール枠４の長手方向に沿って開口した溝部１０が形成され、この溝部１０を通して検出器３の検出器本体６と検出部７とが連結されている。
【００２７】
溝部１０は、スケール枠４の下方に開口し、スケール枠４の幅方向一方側（測定対象部Ｗ１側）と他方側（前面側）とに設けられて互いに略対向する一対の対向面部１１，１２を有している。一方側の対向面部１１は、第一底面部４Ｄの端面によって形成されるとともに、スケール枠４の内方に向かって一方側に傾斜して形成されている。他方側の対向面部１２は、第二底面部４Ｅの端面によって形成されるとともに、スケール枠４の内外方向（上下方向）に略平行に形成されている。
【００２８】
以上の測定器１において、検出器３をスケール枠４に保持するための保持装置２０が利用される。この保持装置２０は、測定対象部Ｗ１，Ｗ２に取り付けるまでの輸送過程等において、測定器本体２に対して検出器３が任意方向に動いて破損するのを防止するために、測定器本体２に検出器３を保持して移動を拘束する。さらに、保持装置２０は、測定対象部Ｗ１，Ｗ２への測定器１の取り付けに際し、測定器本体２に対して検出器３を位置決めするために利用される。保持装置２０は、測定器本体２の長手方向に沿った両側から検出器３を保持可能に設けられている。
【００２９】
図２は、保持装置２０および測定器１を簡略して示す斜視図である。
図２に示すように、保持装置２０は、測定器本体２の長手方向に沿った両側から検出器３の検出器本体６に当接して移動を規制する保持手段としての一対の保持具２１と、これら一対の保持具２１に亘って設けられる連結手段としての連結具２２と、を備える。また、検出器本体６におけるスケール枠４の長手方向の両端面には、後述する保持具２１の係合突部３６を挿入するための係合孔６Ａが形成されている。なお、以下では、スケール枠４の幅方向をＸ方向（測定対象部Ｗ１側が＋Ｘ方向）、上下方向をＹ方向（上方が＋Ｙ方向）、スケール枠４の長手方向をＺ方向と記す場合がある。
【００３０】
連結具２２は、金属棒材を曲げ加工して形成されたものであって、スケール枠４の長手方向に沿って検出器本体６を跨ぐ長さを有した第一連結部２２Ａと、第一連結部２２Ａの両端部から略直角に折り曲げられた一対の第二連結部２２Ｂと、を有して形成されている。一対の第二連結部２２Ｂは、それぞれ後述する一対の保持具２１における挿通孔３５，４５に挿通されることで、第一保持部材２３と第二保持部材２４とを連結する。さらに、連結具２２によって、一対の保持具２１のＺ方向に沿った間隔が維持されるようになっている。
【００３１】
図３は、保持装置における保持手段を示す正面図および側面図である。
図３に示すように、保持手段としての保持具２１は、スケール枠４の幅方向一方側（測定対象部Ｗ１側であり、＋Ｘ方向）に位置する第一保持部材２３と、幅方向他方側（前面側であり、−Ｘ方向）に位置する第二保持部材２４と、第一保持部材２３と第二保持部材２４とを接続する接続部材２５と、を有して構成されている。
【００３２】
第一保持部材２３は、合成樹脂等の一体成形部品であって、スケール枠４の外部に位置する第一本体３１と、この第一本体３１から延びて溝部１０に挿入される第一挿入部３２と、第一本体３１における他方側に設けられる第一押圧部３３と、第一挿入部３２に設けられて溝部１０の一方側の対向面部１１に当接可能な第一当接部３４と、を有して形成されている。第一当接部３４は、溝部１０の対向面部１１と同一方向に傾斜し、すなわち、第一挿入部３２の溝部１０への挿入方向（＋Ｙ方向）に向かって一方側（第一押圧部３３から離れる側であり、＋Ｘ方向）に傾斜して形成されている。
【００３３】
さらに、第一保持部材２３は、第一本体３１をスケール枠４の幅方向に貫通して連結具２２を挿入させる挿通孔３５と、第一本体３１からスケール枠４の長手方向（Ｚ方向）両側に突出する一対の係合突部３６と、を有して形成されている。一対の係合突部３６のうち、いずれか一方の係合突部３６は、検出器３の検出器本体６に設けられた係合孔６Ａに挿入されて係合可能になっている。
【００３４】
第二保持部材２４は、合成樹脂等の一体成形部品であって、スケール枠４の外部に位置する第二本体４１と、この第二本体４１から延びて溝部１０に挿入される第二挿入部４２と、第二本体４１における一方側に設けられる第二押圧部４３と、第二挿入部４２に設けられて溝部１０の他方側の対向面部１２に当接可能な第二当接部４４と、を有して形成されている。第二当接部４４は、溝部１０の対向面部１２と同様に、第二挿入部４２の溝部１０への挿入方向（＋Ｙ方向）に沿って平行に形成されている。さらに、第二保持部材２４には、第二本体４１をスケール枠４の幅方向に貫通して連結具２２を挿入させる挿通孔４５が形成されている。
【００３５】
接続部材２５は、第一保持部材２３の第一本体３１と第二保持部材２４の第二本体４１とを接続する紐状の可撓性部材であって、第一保持部材２３と第二保持部材２４とが分離していずれかが落下するのを防止できるようになっている。
【００３６】
第一保持部材２３の第一押圧部３３は、第一挿入部３２の溝部１０への挿入方向（＋Ｙ方向）に向かって他方側（前面側であり、−Ｘ方向）に傾斜した傾斜面３３Ａを有して形成され、この傾斜面３３Ａは、第一挿入部３２まで連続して形成されている。傾斜面３３Ａは、第一当接部３４に対して交差する平面に沿って傾斜するとともに、傾斜面３３Ａと第一当接部３４とは、それぞれスケール枠４の長手方向（Ｚ方向）に平行な平面に沿って形成されている。
【００３７】
また、第二保持部材２４の第二押圧部４３は、第二挿入部４２の溝部１０への挿入方向（＋Ｙ方向）に向かって他方側（−Ｘ方向）に傾斜した傾斜面４３Ａを有して形成され、この傾斜面４３Ａは、第二挿入部４２まで連続して形成されている。このような第二押圧部４３は、傾斜面４３Ａを第一保持部材２３の傾斜面３３Ａに摺接させつつ、第二保持部材２４をスケール枠４の内方（＋Ｙ方向）に向かって移動させることで、第一押圧部３３を押圧して第一保持部材２３を一方側（＋Ｘ方向）に向かって付勢できるようになっている。これにより、第一保持部材２３の第一当接部３４がスケール枠４の溝部１０における一方側の対向面部１１に押圧され、第一挿入部３２が第一底面部４Ｄに係合されるようになっている。
【００３８】
次に、図４〜８も参照して測定器１に対する保持装置２０の取付手順を説明する。
先ず、図４に示すように、測定器本体２のスケール枠４の長手方向（Ｚ方向）に沿った所定位置に検出器３を移動させる。
【００３９】
次に、図５に示すように、検出器３の両側に一対の保持具２１の第一保持部材２３を位置させ、それらの第一挿入部３２を溝部１０に挿入し、第一当接部３４（図３参照）を対向面部１１（図４参照）に当接させる。この際、第二保持部材２４は、接続部材２５によって第一保持部材２３に接続されているので、左右一対の第一保持部材２３を作業者が手で保持するだけでよく、第二保持部材２４を保持しなくても落下することがない。
【００４０】
次に、図６に示すように、左右一対の第一保持部材２３をそれぞれ検出器３の検出器本体６に向かって移動させ、各々の第一本体３１を検出器本体６の側面に当接させる。さらに、各第一保持部材２３の係合突部３６を検出器本体６の係合孔６Ａに挿入して係合させ、各第一保持部材２３と検出器本体６とを連結する。これにより、各第一保持部材２３が検出器本体６に保持されるので、作業者が手を離しても第一保持部材２３が落下することがない。
【００４１】
次に、図７に示すように、第二保持部材２４を上方（＋Ｙ方向）に移動させ、その第二挿入部４２を溝部１０の対向面部１２（図４参照）と第一保持部材２３の第一挿入部３２との間に挿入する。さらに、第二保持部材２４の傾斜面４３Ａ（図３参照）を第一保持部材２３の傾斜面３３Ａ（図３参照）に摺接させつつ、第二保持部材２４を上方に移動させて、第二当接部４４を対向面部１２に当接させることで、第二押圧部４３で第一押圧部３３を押圧し、第一保持部材２３を一方側（＋Ｘ方向）に向かって付勢する。
【００４２】
以上の手順によって、第一保持部材２３の第一当接部３４がスケール枠４の溝部１０における一方側の対向面部１１に押圧され、第一挿入部３２が第一底面部４Ｄに係合される。そして、第一当接部３４が対向面部１１に押圧され、第二当接部４４が対向面部１２に押圧されることで、これらの摩擦力によって第一保持部材２３および第二保持部材２４が溝部１０に固定される。従って、左右一対の保持具２１によって検出器３がスケール枠４の長手方向（Ｚ方向）に保持される。また、係合突部３６と係合孔６Ａとの係合により、検出器３が上下方向（Ｙ方向）およびスケール枠４の幅方向（Ｘ方向）に位置決めされる。
【００４３】
次に、図８に示すように、連結具２２の第二連結部２２Ｂを挿通孔３５，４５（図７参照）に挿通し、第一保持部材２３と第二保持部材２４とを連結する。これにより、第一挿入部３２および第二挿入部４２と溝部１０との係合を維持し、保持具２１がスケール枠４から脱落するのを防止する。さらに、連結具２２の第一連結部２２Ａによって左右一対の保持具２１を連結して距離を一定に保持することで、検出器３に対してスケール枠４の長手方向（Ｚ方向）に保持具２１が移動するのを防止することができる。
【００４４】
このような本実施形態によれば、以下の作用・効果を奏することができる。
（１）第一保持部材２３の第一挿入部３２を溝部１０に挿入してから、この第一保持部材２３に対し、その第一押圧部３３を第二保持部材２４の第二押圧部４３で押圧しつつ第二挿入部４２を溝部１０に挿入することで、溝部１０の一方側の対向面部１１に第一当接部３４が係合するとともに、他方側の対向面部１２に第二当接部４４が当接し、第一保持部材２３および第二保持部材２４をスケール枠４に固定することができる。
【００４５】
（２）このような簡単な固定手順によって保持具２１をスケール枠４に固定することで、ねじ止めが不要になるとともに、測定対象部Ｗ１，Ｗ２への測定器１の取付け作業性を向上させることができる。さらに、それぞれブロック状の単純な形状を有した各保持部材２３，２４によって保持具２１が構成されるので、保持具２１の構造を簡単化することができる。
【００４６】
（３）第一保持部材２３の第一当接部３４と溝部１０の一方側の対向面部１１とが互いの傾斜によって係合するとともに、第二保持部材２４の第二当接部４４が他方側の対向面部１２に当接することで、保持具２１が溝部１０から脱落しないように支持される。
【００４７】
（４）さらに、第一保持部材２３の第一押圧部３３と第二保持部材２４の第二押圧部４３とが互いに押圧し合う押圧力によって、第一当接部３４および第二当接部４４が溝部１０の対向面部１１，１２に押し付けられて摩擦力が生じ、この摩擦力によってスケール枠４の長手方向に沿った保持具２１の移動を規制することができ、左右一対の保持具２１によって検出器３を保持することができる。このような摩擦力によって保持具２１の移動が規制されるので、摩擦力を超える力を加えることで保持具２１をスケール枠４の長手方向に沿って移動させることができ、検出器３の位置決めを容易に実施することができる。
【００４８】
（５）また、第一保持部材２３の第一押圧部３３に対して第二保持部材２４の第二押圧部４３を押圧する際に、互いの傾斜面３３Ａ，４３Ａを摺接させつつ第二保持部材２４を取り付けることによって、第一挿入部３２が一方側（＋Ｘ方向）に付勢されるとともに、第二挿入部４２が他方側（−Ｘ方向）に付勢されるので、各挿入部３２，４２を溝部１０の対向面部１１，１２に押し付けて係合させることができる。従って、より簡単な固定手順によって保持具２１をスケール枠４に固定することができ、作業性をさらに向上させることができる。
【００４９】
（６）第一保持部材２３の係合突部３６を検出器本体６の係合孔６Ａに挿入して係合させることで、第一保持部材２３を仮固定した状態で第二保持部材２４を取り付けることができ、保持具２１の固定作業をさらに容易に実施することができる。また、係合突部３６を係合させて検出器３を保持することで、スケール枠４の長手方向（Ｚ方向）のみならずその交差方向（Ｘ方向およびＹ方向）への検出器３の移動をより確実に規制することができる。
【００５０】
（７）接続部材２５によって第一保持部材２３と第二保持部材２４とが接続されていることで、保持具２１をスケール枠４に固定する際や固定を解除する際に第一保持部材２３や第二保持部材２４が落下するのを防止することができ、保持具２１の固定作業の作業性をさらに良好にすることができる。
【００５１】
（８）連結具２２の第二連結部２２Ｂを第一保持部材２３および第二保持部材２４の挿通孔３５，４５に挿通し、第一保持部材２３と第二保持部材２４とを連結することで、保持具２１と溝部１０との係合を維持することができ、輸送過程の振動等によって保持具２１が脱落するのを防ぎ、測定器１の破損等を防止することができる。さらに、連結具２２の第一連結部２２Ａによってスケール枠４の長手方向（Ｚ方向）に保持具２１が移動するのを防止することができ、検出器３の保持状態を良好に維持することができる。
【００５２】
（９）スケール枠４の溝部１０における一方側の対向面部１１が測定対象部Ｗ１，Ｗ２側に設けられ、この一方側の対向面部１１に向かって第一保持部材２３の第一当接部３４を押圧して係合させることで、測定対象部Ｗ１，Ｗ２に向かって第一保持部材２３を位置決めした状態で保持具２１を固定することができ、この保持具２１で検出器３を保持した状態の測定器１を測定対象部Ｗ１，Ｗ２に取り付ける際に、測定対象部Ｗ１，Ｗ２に対する測定器本体２および検出器３の位置精度を向上させることができる。また、スケール枠４における他方側（測定対象部Ｗ１，Ｗ２の反対側）に第二保持部材２４が位置することになるので、第二保持部材２４が取り扱いやすくなって保持具２１の着脱がより一層容易に実施できる。
【００５３】
〔実施形態の変形〕
なお、本発明は、前記実施形態に限定されるものではなく、本発明の目的を達成できる範囲での変形、改良等は本発明に含まれるものである。
例えば、前記実施形態では、光学式の測定器（リニアスケール）に保持装置を用いる場合を説明したが、測定器としては、測定器本体に移動自在に設けられる検出器を備えたものであればよく、検出器の形式や検出方式などは特に限定されるものではない。
【００５４】
前記実施形態では、測定器本体２のスケール枠４が全体略矩形中空状に形成され、その底面において下方に開口して溝部１０が形成されていたが、スケール枠４の形状は矩形に限らず任意形状でよいし、溝部としても、下方に限らず上方や側方に開口していてもよい。しかし、溝部が下方に開口していることで、スケール枠内部への異物の侵入を防止することができることから、前記実施形態のスケール枠４の形態が好ましい。
【００５５】
前記実施形態では、第一保持部材２３の第一押圧部３３および第二保持部材２４の第二押圧部４３において、互いの傾斜面３３Ａ，４３Ａがスケール枠４の長手方向（Ｚ方向）に平行に形成されていたが、これらの傾斜面は、図９に示すように傾斜して形成されていてもよい。ここで、図９は、本発明の変形例に係る保持装置を示す平面図および側面図であり、（Ａ）は、保持手段としての保持具２１Ａの平面図、（Ｂ）は、保持具２１Ａをスケール枠４の長手方向（Ｚ方向）から見た側面図である。
【００５６】
図９に示す変形例の保持具２１Ａにおいて、第一保持部材２３の第一押圧部３３Ｂは、上下方向（Ｙ方向）に平行、かつ、スケール枠４の長手方向および幅方向（Ｚ方向およびＸ方向）に傾斜した傾斜面３３Ｃを有して形成されている。第二保持部材２４の第二押圧部４３Ｂは、第一押圧部３３Ｂの傾斜面３３Ｃと平行な傾斜面４３Ｃを有して形成されている。このような保持具２１Ａでは、図９（Ａ）に矢印で示すように、第一保持部材２３に対してスケール枠４の長手方向に沿って第二保持部材２４を移動させ、互いの傾斜面３３Ｃ，４３Ｃを摺接させて押圧することで、スケール枠４の溝部１０に固定される。
【００５７】
以上のような変形例の保持具２１Ａの場合、第一保持部材２３の第一挿入部３２および第二保持部材２４の第二挿入部４２をそれぞれ溝部１０に挿入した状態から、第二保持部材２４を第一保持部材２３に向かって移動させればよい。従って、溝部１０における他方側の対向面部１２は、スケール枠４の内外方向（上下方向）に平行である必要がなく、一方側の対向面部１１と同様に、スケール枠４の内方に向かって他方側に傾斜して形成されていてもよい。このように他方側の対向面部１２が傾斜した場合、その傾斜方向に沿うように第二保持部材２４の第二当接部４４も傾斜して形成することで、第二当接部４４を対向面部１２に係合させることができ、保持具２１Ａのスケール枠４に対する固定強度を高めることができる。
【００５８】
なお、保持具２１，２１Ａでは、第一押圧部３３，３３Ｂおよび第二押圧部４３，４３Ｂがそれぞれ傾斜面３３Ａ，３３Ｃ，４３Ａ，４３Ｃを有して形成され、互いの傾斜面３３Ａ，３３Ｃ，４３Ａ，４３Ｃを摺接させることで押圧されるものとしたが、このような傾斜面を有したものに限られることはない。すなわち、第一押圧部および第二押圧部は、その一方に突部や突条を有して形成され、この突部によって他方を押圧するものでもよい。
【００５９】
また、前記実施形態では、第一保持部材２３が検出器３の係合孔６Ａに挿入されて係合する係合突部３６を有して形成されていたが、この係合突部は必須ではなく、省略されてもよい。また、保持手段は、係合突部に代えて検出器３の側面や底面等に当接して位置決めする位置決め部を有して形成されていてもよい。
【００６０】
前記実施形態では、第一保持部材２３と第二保持部材２４とが紐状の接続部材２５で接続されていたが、この接続部材は必須ではなく、省略されてもよい。また、第一保持部材と第二保持部材とは、接続部材によって接続されるものに限らず、互いにスライド自在なレール状の係合部によって係合されていてもよい。
【００６１】
前記実施形態では、第一保持部材２３と第二保持部材２４とが連結手段としての連結具２２で連結されていたが、この連結手段は必須ではなく、省略されてもよい。また、連結手段としては、検出器３を跨いで一対の保持具２１を連結するものに限らず、個々の保持具２１における第一保持部材２３と第二保持部材２４とを連結するものであってもよい。
【産業上の利用可能性】
【００６２】
以上のように、本発明は、スケールを内蔵するスケール枠を有した測定器本体と、この測定器本体に移動自在に設けられて前記スケールとの相対移動量を検出する検出器と、を備えた測定器における検出器をスケール枠に保持する保持装置に好適に利用できる。
【符号の説明】
【００６３】
１        測定器
２        測定器本体
３        検出器
４        スケール枠
５        スケール
６        検出器本体
１０        溝部
２０        保持装置
２１，２１Ａ  保持具（保持手段）
２２        連結具（連結手段）
２３        第一保持部材
２４        第二保持部材
２５        接続部材
３１        第一本体
３２        第一挿入部
３３，３３Ｂ  第一押圧部
３３Ａ，３３Ｃ  傾斜面
３４        第一当接部
３６        係合突部
４１        第二本体
４２        第二挿入部
４３，４３Ｃ  第二押圧部
４３Ａ，４３Ｂ  傾斜面
４４        第二当接部
Ｗ１，Ｗ２  測定対象部
【図１】
2017036941.tif 000003
【図２】
2017036941.tif 000004
【図３】
2017036941.tif 000005
【図４】
2017036941.tif 000006
【図５】
2017036941.tif 000007
【図６】
2017036941.tif 000008
【図７】
2017036941.tif 000009
【図８】
2017036941.tif 000010
【図９】
2017036941.tif 000011